(57)【要約】【課題】ケース内のボードの動きを防ぐことができるスポーツボード用ケース、また、ケースより有意に短いボードを収納した場合にケース内でのボードの動きを防ぎ且つケース余剰部分のたるみを解消できるスポーツボード用ケースを提供すること。【解決手段】本発明のスポーツボード用ケース１０は、ケース本体１３の内側に設けた第一の係止手段１５と、ボードの少なくとも一方の端部に装着する伸縮キャップであって第一の係止手段と係合して伸縮キャップをケース本体内側に着脱可能に取り付ける第二の係止手段を備えた伸縮キャップ１６とを含むことで、ケース内のボードの動きを防ぐことができる。ボード長さに合わせてケースの長さ方向に折り返し可能な部分を一方の端部に有し、折り返した部分をケース本体に締結する手段を含むよう構成することで、ケース内でのボードの動きを防ぎ且つケース余剰部分のたるみを解消できる。【選択図】図１
2015150021.tif 000002
【特許請求の範囲】
【請求項１】
ボードを収納するケース本体と、ケース本体の内側に設けた第一の係止手段と、ボードの少なくとも一方の端部に装着する伸縮キャップであって第一の係止手段と係合することにより当該伸縮キャップをケース本体の内側に着脱可能に取り付ける第二の係止手段を備えた伸縮キャップとを含むことを特徴とする、スポーツボード用ケース。
【請求項２】
伸縮キャップが伸縮性の材料製であることを特徴とする、請求項１に記載のスポーツボード用ケース。
【請求項３】
第一及び第二の係止手段がそれぞれ、ケースの幅方向において離間して複数設けられていることを特徴とする、請求項１又は２に記載のスポーツボード用ケース。
【請求項４】
伸縮キャップの先端に開口部を有することを特徴とする、請求項１〜３のいずれか一つに記載のスポーツボード用ケース。
【請求項５】
収納するボードの長さに合わせてケースの長さ方向に折り返し可能な部分を一方の端部に有するとともに、折り返した部分をケース本体に締結する手段を含むことを特徴とする、スポーツボード用ケース。
【請求項６】
折り返した部分をケース本体に締結する手段がケース本体に連結したベルトとバックルで構成されていることを特徴とする、請求項５に記載のスポーツボード用ケース。
【請求項７】
前記ベルトを通す挿通孔を提供する締結補助手段をケース本体の外側に有することを特徴とする、請求項６に記載のスポーツボード用ケース。
【請求項８】
ケースの幅方向に複数の締結補助手段を有することを特徴とする、請求項７に記載のスポーツボード用ケース。
【請求項９】
締結補助手段が、締結手段を通すための挿通孔をケースの長さ方向に複数有することを特徴とする請求項７又は８に記載のスポーツボード用ケース。
【請求項１０】
ケースの開閉手段が、折り返し可能な部分以外ではケース本体の側面部材と上面部材との境界部にあり、折り返し可能な部分では境界部から上面部材側に入り込むように配置されていることを特徴とする、請求項５〜９のいずれか一つに記載のスポーツボード用ケース。
【請求項１１】
ケース本体の内側に設けた第一の係止手段と、ボードの少なくとも一方の端部に装着する伸縮キャップであって第一の係止手段と係合することにより当該伸縮キャップをケース本体の内側に着脱可能に取り付ける第二の係止手段を備えた伸縮キャップとを更に含むことを特徴とする、請求項５〜１０のいずれか一つに記載のスポーツボード用ケース。
【請求項１２】
伸縮キャップが伸縮性の材料製であることを特徴とする、請求項１１に記載のスポーツボード用ケース。
【請求項１３】
第一及び第二の係止手段がそれぞれ、ケースの幅方向において離間して複数設けられていることを特徴とする、請求項１１又は１２に記載のスポーツボード用ケース。
【請求項１４】
伸縮キャップの先端に開口部を有することを特徴とする、請求項１１〜１３のいずれか一つに記載のスポーツボード用ケース。
【発明の詳細な説明】
【技術分野】
【０００１】
本発明は、スポーツ用ボードケースに関する。
【背景技術】
【０００２】
様々なスポーツの中には、一般に「ボード」と呼ばれる板状の器具を使用するものがある。スノーボード、スキー、ボディーボード、サーフィンなどがその例である。これらのスポーツで使用するボードを輸送しあるいは持ち運ぶ際には、ボードを収納するケースが一般に利用される。
【０００３】
スノーボードの場合を例に説明すると、現在使用されているスノーボード用のケースには大きく分けて２つのタイプがある。一つは、スノーボード自体のほかに、競技又は遊戯に必要なウエアや周辺アクセサリーその他の全ての荷物を収納できる大型のもので、重量が大きくなるため運搬用にローラーを備えたものである。もう一つは、ボードと周辺アクセサリーだけを収納するコンパクトなもので、手提げや肩掛けにして運ばれる。コンパクトなタイプは一般に、ケースの長さが１４５ｃｍ前後、１５５ｃｍ前後を始めとして、数種類が市販されている。
【発明の概要】
【発明が解決しようとする課題】
【０００４】
スノーボード用ケースの長さが上述のように統一されているのに対し、ボードの長さは様々である。そのため、異なる長さのボードに買い替えたり、パーク用の短いボード（取り回しを簡単にするために通常よりも短い）ボードや、パウダー（深雪）用の長いボードを同時保有する場合は、ケースも新たに用意する必要が生じる。とりわけボードがケースよりも短い場合は、移動中や搬送中にボードがケース内で特に長さ方向に動くことにより、同梱されたウエアや周辺アクセサリーなどに悪影響を与える場合がある。また、ケースのうちのボードが位置していない部分が余ってたるみが生じることもある。スノーボード以外のスポーツボード用ケースについても同様のことが言える。
【０００５】
従来のスノーボードケース６０示す図１１を参照してより具体的に説明すると、ボード６１を収納した状態で主にボード６１の長さ方向に直角な方向の動きを抑制する目的で、ケース６０内にはボード６１の固定に用いられるベルト６２が設けられている（通常、固定用ベルトは２対設けられている）。しかし、ボード６１の両側にはベルト６２とケース本体６３との間に空隙ができるため、ボードの長さ方向に直角な方向（ボードの幅方向）の動き（ケースに対する相対的な位置変動）を完全に抑えることはできない。とは言え、ケース６０内におけるボード６１の幅方向の動きはそれほど甚だしくはない。ところが、図１１に示したようにボード６１がケース６０よりも短く、ケース内でボード６１の長さ方向に有意の空隙ができる場合は、移動中や搬送中におけるボード６１の長さ方向の動きが大きくなって、同梱されたウエアや周辺アクセサリーなどに悪影響を与えかねない。更に、図１２に模式的に示したようにケース６０のうちのボードが位置していない部分にたわみによる変形が生じることもある。
【０００６】
そこで、本発明は、収納したボードのケース内における特に長さ方向の動きを防ぐことができるスポーツボード用ケースを提供すること、あるいは、ケースよりも有意に短いボードを収納した場合にやはりケース内におけるボードの特に長さ方向の動きを防ぐことができ、且つ余剰部分のたるみを解消することができるスポーツボード用ケースを提供することを目的とするものである。
【課題を解決するための手段】
【０００７】
本発明のスポーツボード用ケースの特徴をその実施形態とともに示すと、次のとおりである。
【０００８】
（１）ボードを収納するケース本体と、ケース本体の内側に設けた第一の係止手段と、ボードの少なくとも一方の端部に装着する伸縮キャップであって第一の係止手段と係合することにより当該伸縮キャップをケース本体の内側に着脱可能に取り付ける第二の係止手段を備えた伸縮キャップとを含むことを特徴とする、スポーツボード用ケース。
（２）伸縮キャップが伸縮性の材料製であることを特徴とする、上記（１）に記載のスポーツボード用ケース。
（３）第一及び第二の係止手段がそれぞれ、ケースの幅方向において離間して複数設けられていることを特徴とする、上記（１）又は（２）に記載のスポーツボード用ケース。
（４）伸縮キャップの先端に開口部を有することを特徴とする、上記（１）〜（３）のいずれか一つに記載のスポーツボード用ケース。
【０００９】
（５）収納するボードの長さに合わせてケースの長さ方向に折り返し可能な部分を一方の端部にするとともに、折り返した部分をケース本体に締結する手段を含むことを特徴とする、スポーツボード用ケース。
（６）折り返した部分をケース本体に締結する手段がケース本体に連結したベルトとバックルで構成されていることを特徴とする、上記（５）に記載のスポーツボード用ケース。
（７）前記ベルトを通す挿通孔を提供する締結補助手段をケース本体の外側に有することを特徴とする、上記（６）に記載のスポーツボード用ケース。
（８）ケースの幅方向に複数の締結補助手段を有することを特徴とする、上記（７）に記載のスポーツボード用ケース。
（９）締結補助手段が、締結手段を通すための挿通孔をケースの長さ方向に複数有することを特徴とする、上記（７）又は（８）に記載のスポーツボード用ケース。
（１０）ケースの開閉手段が、折り返し可能な部分以外ではケース本体の側面部材と上面部材との境界部にあり、折り返し可能な部分では境界部から上面部材側に入り込むように配置されていることを特徴とする、上記（５）〜（９）のいずれか一つに記載のスポーツボード用ケース。
（１１）ケース本体の内側に設けた第一の係止手段と、ボードの少なくとも一方の端部に装着する伸縮キャップであって第一の係止手段と係合することにより当該伸縮キャップをケース本体の内側に着脱可能に取り付ける第二の係止手段を備えた伸縮キャップとを更に含むことを特徴とする、上記（５）〜（１０）のいずれか一つに記載のスポーツボード用ケース。
（１２）伸縮キャップが伸縮性の材料製であることを特徴とする、上記（１１）に記載のスポーツボード用ケース。
（１３）第一及び第二の係止手段がそれぞれ、ケースの幅方向において離間して複数設けられていることを特徴とする、上記（１１）又は（１２）に記載のスポーツボード用ケース。
（１４）伸縮キャップの先端に開口部を有することを特徴とする、上記（１１）〜（１３）のいずれか一つに記載のスポーツボード用ケース。
【００１０】
本発明に関連して、「長さ方向」という用語は、ボードの長手方向の軸線の方向を意味する。「ケースの長さ方向」と言う場合、それはケース内に収容したボードの長さ方向に一致する。また、「幅方向」という用語は、ボードの長さ方向の軸線に対して直角の方向を意味する。「ケースの幅方向」という場合、それはケース内に収容したボードの幅方向に一致する。
【発明の効果】
【００１１】
本発明によれば、収納したボードのケース内における特に長さ方向の動きを防ぐことができるスポーツボード用ケースを提供することができる。また、ケースよりも有意に短いボードを収納した場合にケース内におけるボードの特に長さ方向の動きを防ぐことができ、且つ余剰部分のたるみを解消することができるスポーツボード用ケースを提供することができる。
【図面の簡単な説明】
【００１２】
【図１】ボード先端に装着する伸縮キャップとそれをケース本体に着脱可能に取り付ける係止手段とを含む本発明のスポーツボード用ケースを説明する斜視図である。
【図２】本発明による伸縮キャップを説明する図である。
【図３】先端に開口部を有する伸縮キャップを説明する図である。
【図４】ボードの長さに合わせてケースの長さ方向に折り返し可能な部分と折り返した部分をケース本体に締結する手段とを含む本発明のスポーツボード用ケースを説明する斜視図である。
【図５】図４のケースを閉じた状態を説明する斜視図である。
【図６】図４のケースを閉じて余剰部分を本体に折り重ねた状態を説明する斜視図である。
【図７】図５に示したケースの反対側を説明する斜視図である。
【図８】図６に示したケースの反対側を説明する斜視図である。
【図９】図４のケースに伸縮キャップと係合する第一の係止手段を付加した本発明のスポーツボード用ケースを説明する斜視図である。
【図１０】図９のケースに伸縮キャップを装着したボードを収納したところを示す斜視図である。
【図１１】従来技術のスノーボードケースとケース内に収納したボードを説明する斜視図である。
【図１２】図１１のケースを閉じた状態を説明する斜視図である。
【発明を実施するための形態】
【００１３】
本発明によれば、ケース本体の内側に設けた第一の係止手段と係合することによりケース本体内側に着脱可能に取り付けるための第二の係止手段を備えた伸縮キャップをボードの少なくとも一方の端部に装着してケース内に収納することにより、その伸縮キャップを介してボードをケース内の所定の位置に固定することができる。より具体的に言えば、図１と図２を参照して、本発明によるスポーツボード用ケース１０は、ボード１１を収納するケース本体１３と、ケース本体１３の内側に設けた第一の係止手段１５と、ボード１１の少なくとも一方の端部に装着する伸縮キャップ１６であって第一の係止手段１５と係合することにより当該伸縮キャップ１６をケース本体１３の内側に着脱可能に取り付ける第二の係止手段１７を備えた伸縮キャップとを含む。
【００１４】
第一の係止手段１５は、長さがいろいろのボード１１に装着した伸縮キャップ１６が位置することになるケース内の領域に設けられる。第二の係止手段１７は、図２に示したように伸縮キャップ１６の片面に設けられ、伸縮キャップ１６を装着したボード１１を収納するときに第二の係止手段１７が第一の係止手段１５と係合するようにする。係止手段１５、１７としては、面ファスナーなどを利用することができる。
【００１５】
伸縮キャップ１６は、第一及び第二の係止手段１５、１７の係合によりボード１１の長さ方向、幅方向の動きを効果的に抑制するために、ボード先端部にゆるみがないように装着する必要がある。そのために、伸縮キャップ１６は伸縮性の素材（例えばクロロプレン製の布帛など）を用いて製作することができる。伸縮キャップ１６に伸縮性の素材を用いることは、様々な幅のボードに適応する上でも好都合である。
【００１６】
係止手段１５、１７は、ケース本体１３の内側と伸縮キャップ１６の双方に少なくとも１つあればその機能を果たすことができる。とは言え、係止手段１５、１７は、図示のようにケース本体１３の内側と伸縮キャップ１６の双方に、ケースの幅方向において離間して複数設けるのが好ましい。これにより、伸縮キャップ１６をケース本体１３により強固に固定し、ボード１１の動きをより確実に抑制することができる。図２の伸縮キャップ１６では、ケースの幅方向において離間した一対の係止手段を２組設けており、これにより伸縮キャップ１６のケース本体１３への結合を更に一層強固にして、ボードの動きをより一層確実に抑制するようにしている。
【００１７】
係止手段１５、１７と伸縮キャップ１６の組み合わせをボード１１の両端において利用することも可能である。そうすることで、ケース内におけるボードの動きを更に効果的に抑制することができる。ボード１１の一方の端部でのみ係止手段と伸縮キャップの組み合わせを利用する場合には、他方の端部において特にボードの幅方向の動きが生じる可能性があるからである。
【００１８】
伸縮キャップ１６は、図３に示したように、その先端、すなわちボード１１に装着した状態でボードの先端１１ａが位置する部分に、開口部１９を有することもできる。それにより、伸縮キャップ１６は先端１１ａの形状が様々なボードにもより容易に適応できるようになる。
【００１９】
本発明の上述のケース１０において、ケース本体１３は、特に限定されることなく、通常のケースで用いられているものと同様でよい。従って、ケース本体１３は、ボード１１の出し入れのためにケースを開閉するための手段１８（例えばスライドファスナー）を始めとして、携帯するための取っ手１９、肩掛けベルト（図示せず）などを備えることができる。
【００２０】
本発明によるスポーツボード用ケースは、収納するボードの長さに合わせてケースの長さ方向に折り返し可能な部分を一方の端部に有するとともに、折り返した部分をケース本体に締結する手段を含むことによって、移動中や搬送中におけるボードの長さ方向の動きを抑制するとともに、ケースのうちの余った部分のたるみを解消することもできる。
【００２１】
図４に示したように、この場合のケース２０は、ボード１１をその一方の端部をケース２０の一方の端部に寄せて収納したときに、他方の端部に、ボードが位置せず収納するボードの長さに合わせて折り返し可能な部分２１を有する。この折り返し可能な部分２１の先端２１ａは、ボード１１を収納し、ケースの開閉手段２８（例えばスライドファスナーなど）によりカバーを閉じるときに重ね合わされる（図５参照）。その結果、この重ね合わせた部分には開口（図示せず）ができる。この開口自体はケースの機能に影響するものではないが、後述のように折り返し可能部分２１を折り返してケース本体に締結した時点でその開口が目立ち、見栄えを悪くしかねない。そこで、折り返し可能部分２１の先端２１ａにはケースを閉じるため折りたたんだときに係合する係止手段２２ａ、２２ｂ（図４に例示したケースの場合には面ファスナー。それ以外に、例えばスライドファスナーなどを利用することもできる）を設けることで、開口を塞ぐようにするのが好ましい。
【００２２】
折り返し可能な部分２１は更に、後述のようにその部分を折り返してケース２０のボードが収納されている部分に折り重ねてから、その折り重ねた部分をケース本体２３に締結する手段２４を含んでいる。この締結手段２４は、折り返した部分をケース本体２３に締結したときの見栄えをよくするよう、折り返し部分の先端部２１ａをケース本体２３に締結することが好ましく、すなわち折り返し可能部分２１の先端部２１ａに設けてあるのが好ましい。締結手段２４は、折り返した部分をケース本体２３に締結する目的を果たすことができる限り、どのようなものであってもよい。例えば、図示したように折り返し可能部分２１の先端部２１ａに連結したベルトとバックルで構成することができる。一例として図示した締結手段は、サイドリリースバックル付きのベルトを利用している。
【００２３】
図５に示したように開閉手段２８（スライドファスナーなど）によりケースを閉じてから、折り返し可能部分２１を折り返してケース本体２３の一部に重ね、締結手段２４によりケース本体２３に締結することで、ケースへのボードの収納が完了する（図６参照）。この場合の締結は、締結手段２４のサイドリリースバックル付きのベルトをケースの裏側（ケース本体に締結した折り返し部分の存在しない側）へ回してなされる。ベルトを単に裏側に回しただけでは、ベルト自体は固定されないため、折り返し部分の締結位置が経時的に変化し、ケース内のボードが特にケースの長さ方向に動く原因となりかねない。これを防ぐために、ケースの長さ方向のベルトの動きを抑制する締結補助手段を、ケースの外側に設けることが好ましい。例えば、図７に示したように、締結補助手段２６は、ケース本体２３の裏側にケースの長さ方向に延在するよう配置し一部をケース本体２３に連結して固定（縫い付け、接着などにより）することで、締結手段２４のベルトの通り抜けが可能な挿通孔２７を有するようにした帯状の部材を利用することができる。帯状の部材としては、例えば市販のベルト類を用いることができる。締結補助手段２６が図７に示したように折り返し可能部分２１の先端部２１ａまで又はその近傍まで存在する場合、その一部は図６に示したように本体２３に折り重ねた折り返し可能部分２１にも見られる。
【００２４】
図８に、折り返した部分のケース本体２３への締結のためにベルトを締結補助手段２６の挿通孔に通しバックルで連結した締結手段２４を示す。
【００２５】
締結補助手段２６は、その目的上からは少なくとも１つあればよい。とは言え、ケースの折り返した部分と本体との確実な締結のためには、ケースの幅方向に複数の締結補助手段を設けることが好ましい。
【００２６】
締結補助手段２６の挿通孔２７は、その目的上からは開口寸法の大きなものが少なくとも１つあればよい。とは言え、ボードの長さの変動により柔軟に対応して締結位置の変化を確実に防ぎ、ケース内のボードの動きを確実に防止するためには、図７、８に示したようにケース２０の長さ方向に延在するよう配置した帯状部材の一部を間隔を開けてケース本体に連結し固定することで、ケースの長さ方向に配列した複数の一連の挿通孔２６を有するようにした締結補助手段が好ましい。
【００２７】
図７、８は、幅方向に２つの締結補助手段２６を備え、且つそれぞれの締結補助手段２６がケースの長さ方向に配列した複数の一連の挿通孔２７を有している本発明の好ましいケース２０の例を示している。この例において、折り返し部分のケース本体への締結を終えたケースでは、図８に示した２つの締結補助手段２６の間の部分（図中、Ａで示した部分）の締結手段（ベルト）を、ケース２０を取り扱う際の手掛かり手段として利用することができる。これは、ボードを収納したケースを例えば狭い範囲内で移動したり、運送車両に積み下ろしする際に好都合である。
【００２８】
図４〜８を参照して説明したケース２０においても、ケース本体２３は、特に限定されることなく、通常のケースで用いられているものと同様でよい。従って、ケース本体は、ボードの出し入れのためにケースを開閉するための開閉手段２８（一般にスライドファスナー）を始めとして、携帯するための取っ手、肩掛けベルト（図示せず）などを備えることができる。また、従来のケースにおいて普通に使用されているボード固定用のベルト２９（図４）（図１１に示した従来のケースにおけるベルト６２に相当するもの）を備えることもできる。
【００２９】
一方、本発明のケース２０では、開閉手段２８としてファスナー、特にスライドファスナーを用い、図５に示したようにファスナー２８がボード収納部分においてケース本体２３の上面部材２３ａと側面部材２３ｂとの境界部３２にある場合、ファスナー２８を折り返し可能部分２１では境界部３２から上面部材２３ａ側に入り込むように配置することが必要になる。一般に、ファスナーには折り曲げが可能な方向と不能な方向があるからである（スライドファスナーの場合、スライダーを取り付けたテープの平面に垂直な方向には折り曲げ可能であるが、テープの平面の方向では折り曲げできない）。
【００３０】
図４〜８に示したケース２０は、先に説明した第一の係止手段と、同じく先に説明した第二の係止手段を備えた伸縮キャップとを更に含むこともできる。図９に示したように、この場合のケース２０’は、ケース本体２３’の内側に設けた第一の係止手段３５と、ボードの少なくとも一方の端部に装着する伸縮キャップであって第一の係止手段３５と係合することにより当該伸縮キャップをケース本体の内側に着脱可能に取り付ける第二の係止手段を備えた伸縮キャップ１６（図２参照）とを含む。図１０に示したようにボード１１をケース２０’に収納すると、伸縮キャップ１６が第二の係止手段（図示せず）により第一の係止手段３５に係合してケース本体２３’に着脱可能に取り付けられる。この場合には、締結手段２４による折り返し可能部分２１’のケース本体２３’への締結によるボードの移動防止効果に、伸縮キャップを介してボードをケース本体２３’にしっかりと連結することによるボード移動防止効果が加わることで、ケース２０’内のボード１１の動きをより一層確実に防ぐことができる。
【００３１】
この場合のケース２０’においても、図１〜３を参照して先に説明した様々な実施形態を適用することができる。
【００３２】
ここまでスノーボードケースに関して本発明を説明してきたが、本発明は、スノーボード以外の一般に「ボード」と呼ばれる板状の器具を使用するスポーツで用いられるボード用ケース、例えばスキーボード用ケース（特に１対のスキーボードを同じ向きに収納するタイプのもの）や、ボディーボード又はサーフィンボード用ケースにも適用できる。
【符号の説明】
【００３３】
１０、２０、２０’    スポーツ用ボードケース
１１    ボード
１３、２３、２３’    ケース本体
１５、３５    第一の係止手段
１６    伸縮キャップ
１７    第二の係止手段
１９    伸縮キャップ先端の開口部
２１、２１’    ケースの折り返し可能な部分
２４    締結手段
２６    締結補助手段
２７    挿通孔
【図１】
2015150021.tif 000003
【図２】
2015150021.tif 000004
【図３】
2015150021.tif 000005
【図４】
2015150021.tif 000006
【図５】
2015150021.tif 000007
【図６】
2015150021.tif 000008
【図７】
2015150021.tif 000009
【図８】
2015150021.tif 000010
【図９】
2015150021.tif 000011
【図１０】
2015150021.tif 000012
【図１１】
2015150021.tif 000013
【図１２】
2015150021.tif 000014